【手続補正書】
【提出日】平成16年6月23日(2004.6.23)
【手続補正１】
【補正対象書類名】明細書
【補正対象項目名】全文
【補正方法】変更
【補正の内容】
【書類名】  明細書
【発明の名称】  床敷用マット
【特許請求の範囲】
【請求項１】  平面視矩形状をしているとともに、所定厚みを有し、縦横に隣接させた状態において床面に敷きつめて使用する床敷用マットであって、
上記床敷用マットの上面には、平面的に分散配置された複数の上下方向に弾性浮動可能な浮動支承部の丸みを帯びた頂部が臨んでいることを特徴とする、床敷用マット。
【請求項２】  上記浮動支承部は、球面状の頂部をもつとともに、通常状態において下端部が床面から離間している円筒状をしており、かつ、この浮動支承部は、上記床敷用マットの上面に形成した円形孔内に、この円形孔の内壁と上記浮動支承部の外周部との間を弾性変形可能な橋絡部で連結しながら配置することにより、上下方向に弾性浮動可能とされている、請求項１に記載の床敷用マット。
【請求項３】  上記浮動支承部は、上記床敷用マットの上面に格子状に分散配置されており、上記床敷用マットの上面における各浮動支承部によって規定される各単位格子内領域には、中央部が上方に膨出する中空のドーム状支承部が形成されている、請求項１または２に記載の床敷用マット。
【請求項４】  上記橋絡部は、上記浮動支承部の外周部から半径方向に延出するようにして複数形成されており、隣合う橋絡部間は上下に貫通する貫通孔とされている、請求項１ないし３のいずれかに記載の床敷用マット。
【請求項５】  上記各浮動支承部の上端位置と、上記各ドーム状支承部の上端とが略同一高さに設定されている、請求項１ないし４のいずれかに記載の床敷用マット。
【請求項６】  上記各浮動支承部、上記各ドーム状支承部を含む全体が、軟質合成樹脂による一体成形によって形成されている、請求項１ないし５のいずれかに記載の床敷用マット。
【発明の詳細な説明】
【０００１】
【発明の属する技術分野】
本願発明は、ベランダや幼児用遊戯室などの屋内外の床や通路に縦横に敷きつめて使用する床敷用マットに関する。
【０００２】
【従来の技術】
従来より、屋内外の床や通路の美観の向上のため、あるいは幼児用遊戯室など衝撃吸収用として複数枚の床敷用マットが互いに隣接配置されて縦横に敷きつめられて使用される場合がある。衝撃吸収用として使用される床敷用マットは、主として発泡プラスチックによって作成されている。この発泡プラスチックは、プラスチック内に気泡を含有させて多孔質材料としたものであり、これを用いて床敷用マットを作成する場合には、表面に気泡が表れないように表面処理などが施される。
【０００３】
【発明が解決しようとする課題】
しかしながら、上記発泡プラスチックにより作成された床敷用マットは、たとえ表面処理が施されている場合であっても、耐久性の面、特に表面強度の面において問題がある。たとえば、上記床敷用マットが幼児用遊戯室に敷きつめられて使用される場合を考えてみると、幼児用遊戯室では様々な玩具が使用され、これらの玩具がときとして乱暴に取り扱われ、また、床を掻きむしる幼児さえいる。このような遊戯室では、多孔質とされた発泡プラスチックによって作成された床敷用マットでは、容易に損傷してしまい却って危険である。また、床敷用マットが掻きむしられた場合には、その表面に引っ掻き傷が付きやすく、引っ掻き傷などによって表面体裁が悪化してしまう。
【０００４】
本願発明は、上記した事情のもとで考え出されたものであって、衝撃吸収性に優れるとともに、表面強度の高い床敷用マットを提供することをその課題としている。
【０００５】
【発明の開示】
上記の課題を解決するため、本願発明では、次の技術的手段を講じている。
【０００６】
すなわち、本願発明によれば、平面視矩形状をしているとともに、所定厚みを有し、縦横に隣接させた状態において床面に敷きつめて使用する床敷用マットであって、上記床敷用マットの上面には、平面的に分散配置された複数の上下方向に弾性浮動可能な浮動支承部の丸みを帯びた頂部が臨んでいることを特徴とする、床敷用マットが提供される。
【０００７】
上記構成の床敷用マットによれば、その表面から頂部が臨んだ浮動支承部が、上下方向に弾性浮動可能とされているので、この頂部に対して下方向に衝撃が加えられた場合には、上記浮動支承部が下方に変移し、これにより衝撃を吸収することができる。また、上記浮動支承部は平面的に分散配置されているので、上記床敷用マットの表面の各所において衝撃を吸収することができ、上記のように構成された浮動支承部を設けることによって床敷用マット全体を衝撃吸収性の高いものとすることができる。また、上記浮動支承部が上下方向に弾性浮動可能とされているので、上記床敷用マット上を歩行者が歩いたときに上記浮動支承部を踏んだ場合には、上記浮動支承部が下方に変移することによって適度なクッション感が得られ、踏み心地のよいものとなる。
【０００８】
好ましい実施の形態においては、上記浮動支承部は、球面状の頂部をもつとともに、通常状態において下端部が床面から離間している円筒状をしており、かつ、この浮動支承部は、上記床敷用マットの上面に形成した円形孔内に、この円形孔の内壁と上記浮動支承部の外周部との間を弾性変形可能な橋絡部で連結しながら配置することにより、上下方向に弾性浮動可能とされている。
【０００９】
上記構成では、上記浮動支承部が通常状態において下端部が床面から離間しているために、上記浮動支承部の下方変移が積極的に許容されている。また、上記浮動支承部が上記円形孔の内壁に橋絡部を介して支持された恰好とされているとともに、上記橋絡部が弾性変形可能とされているので、上記浮動支承部の下方変移が容易とされている。すなわち、上記橋絡部の弾性変形による上記浮動支承部の下方変移によって上記浮動支承部が衝撃吸収性を有するものとされている。
【００１０】
好ましい実施の形態においてはさらに、上記浮動支承部は、上記床敷用マットの上面に格子状に分散配置されており、上記床敷用マットの上面における各浮動支承部によって規定される各単位格子内領域には、中央部が上方に膨出する中空のドーム状支承部が形成されている。
【００１１】
上記構成によれば、ドーム状支承部が上方に膨出するとともに中空状とされているので、上記ドーム状支承部が下方に弾性変形可能とされている。このため、上記ドーム状支承部に下方向に衝撃が加えられた場合には、上記ドーム状支承部が下方に弾性変形することによって衝撃を吸収することができる。すなわち、上記床敷用マットでは、上記浮動支承部ばかりでなく、上記ドーム状支承部においても衝撃吸収性が高められており、これらの各部材が平面的に分散されているので床敷用マットのいたる部位においても衝撃を吸収することができる。また、上記浮動支承部が格子状に一定の規則性をもって分散配置されており、各浮動支承部によって規定される各単位格子内領域に上記ドーム状支承部が形成されているので、上記床敷用マットは見栄えのよいものとされている。
【００１２】
上記橋絡部は、上記浮動支承部の外周部から半径方向に延出するようにして複数形成されており、隣合う橋絡部間は上下に貫通する貫通孔とされている。
【００１３】
上記浮動支承部を複数の橋絡部によって支持される構成とすれば、上記浮動支承部の外周部全体を橋絡部によって支持する構成と比べれば、複数の橋絡部によって支持する場合のほうが、上記浮動支承部の支持剛性が低くなり、このため、上記浮動支承部の上下方向への弾性浮動性が高くなる。すなわち、上記床敷用マットでは、上記浮動支承部の下方向への変移がさらに容易とされており、衝撃吸収性がさらに高められている。
【００１４】
また、上記床敷用マットは、屋内に限らず、ベランダなどの屋外においても使用され得るのは上述の通りである。上記床敷用マットが屋外において使用された場合には、当然、上記床敷用マットが雨中に曝される場合もあり、上記床敷用マットの表面に雨水が溜まってしまうような事態も考えられる。上記構成の床敷用マットでは、上記浮動支承部が上記円形孔内に形成されているとともに、上記浮動支承部の外周部が上記円形孔と上記橋絡部を介して連絡されているので、上記浮動支承部の周りが上記橋絡部を底壁とする凹溝とされている。そして、上記浮動支承部の頂部が球面状とされており、上記ドーム状支承部の中央部が膨出する構成とされているので、上記浮動支承部および上記ドーム状支承部の上面における周縁部が上記凹溝に向かって凹入する恰好とされている。このため、上記浮動支承部および上記ドーム状支承部の上面の雨水は、上記凹溝に導かれることとなる。しかも、上記橋絡部が上記凹溝の底壁とされているとともに、隣合う橋絡部間には上下に貫通する貫通孔が形成されているので、上記凹溝に導かれた雨水は上記貫通孔を介して床敷用マットから排除されることとなる。さらに、上記貫通孔を形成することによって通気性も良くなり、上記床敷用マットの乾燥を容易とすることができる。
【００１５】
好ましい実施の形態においてはさらに、上記各浮動支承部の上端位置と、上記各ドーム状支承部の上端とが略同一高さに設定されている。
【００１６】
上記構成によれば、上記各浮動支承部の上端位置と、上記各ドーム状支承部の上端位置とが略同一高さに設定されているので、上記各浮動支承部あるいは上記各ドーム状支承部がその表面から極端に突出してしまうこともなく、歩行者が上記各浮動支承部あるいは上記各ドーム状支承部につまずいてしまうこともない。
【００１７】
好ましい実施の形態においてはさらに、上記床敷用マットは、上記各浮動支承部、上記各ドーム状支承部を含む全体が、軟質合成樹脂による一体成形によって形成されている。
【００１８】
上記軟質合成樹脂は、既述の発泡プラスチックに比べれば、格段に表面強度が高く、たとえその表面が掻きむしられたとしても、上記床敷用マットの表面に引っ掻き傷などが付いて損傷してしまうといった事態は生じにくく、引っ掻き傷などによって表面体裁が悪化するようなことも起こりにくい。なお、上記軟質合成樹脂としては、たとえば軟質塩化ビニルやポリエチレンなどが採用され、所定の金型を用いて一体成形される。
【００１９】
本願発明のその他の特徴および利点は、添付図面を参照して以下に行う詳細な説明によって、より明らかとなろう。
【００２０】
【発明の実施の形態】
以下、本願発明の好ましい実施の形態を、図面を参照して具体的に説明する。
【００２１】
図１は、本願発明に係る床敷用マットの一例を表す平面図であり、図２は、上記床敷用マットの底面図であり、図３（ａ）は、上記床敷用マットの右側面図であり、（ｂ）は、上記床敷用マットの左側面図である。図４は、図１のIV−IV線に沿う断面図であり、図５は、図１のV −V 線に沿う断面図であり、図６は、図１のVI−VI線に沿う断面図であり、図７は、図１の一点鎖線Ａで囲まれた領域の拡大図である。
【００２２】
図１および図２に示すように、上床敷用マット１は、たとえば軟質ポリ塩化ビニル樹脂やポリエチレンなどの熱可塑性の軟質系樹脂を用いた金型成形によって所定厚みを有する平面視矩形状に形成されている。上記床敷用マット１は、縦横に隣接させた状態において床面に敷きつめて使用されるものであり、このため、上記床敷用マット１の各辺には、所定の連結手段が設けられている。なお、この連結手段については後述する。
【００２３】
図１に良く表れているように、上記床敷用マット１には、平面状に分散して複数の円形孔４が形成されており、各円形孔４内には、図４に良く表れているように、全体として略円筒状に形成された浮動支承部２がその頂部２０が臨むようにして配置されている。図１および図２に示すように、これらの浮動支承部２によって規定される各単位格子内（図１で一点鎖線Ａで囲まれた領域）に、中央部３０が上方に膨出するとともに、比較的肉薄状で弾性変形容易とされたドーム状支承部３がそれぞれ形成されている。なお、図３に良く表れているように、上記各浮動支承部２の上端位置と上記各ドーム状支承部３の上端位置とは、それぞれ略同一高さに設定されており、上記各浮動支承部２あるいは上記各ドーム状支承部３がその表面から極端に突出してしまうこともなく、歩行者が上記各浮動支承部２あるいは上記各ドーム状支承部３につまずいてしまうことがないように工夫されている。
【００２４】
図４、図６および図７に示すように、上記各浮動支承部２は、頂部２０が球面状とされており、その外周部が上記円形孔４の内壁４ａと弾性変形可能な計４個の橋絡部４０ａを介して連絡されている。すなわち、図４、図６および図７に良く表れているように、上記各浮動支承部２の周りは、上記橋絡部４０ａを底壁とする環状の凹溝４ｂとされているとともに、上記各浮動支承部２が上記円形孔４内に上記各橋絡部４０ａを介してその下端部２１において支持された恰好とされている。また、上記各橋絡部４０ａは、上記浮動支承部２の外周部から半径方向に延出するようにして設けられており、隣合う橋絡部４０ａ間は、上下に貫通する貫通孔４０ｂとされている。
【００２５】
図２ないし図６に示すように、上記各ドーム状支承部３の周縁部は、下方に延出して隣合う各ドーム状支承部３どうしを仕切る仕切り壁３１とされており、この仕切り壁３１によって上記床敷用マット１の全体としての剛性が確保されている。また、上記各ドーム状支承部３のコーナ部に位置する仕切り壁３１の下端部２１には、下方に延びる支持部４５が上記各浮動支承部２の下部を囲むようにして形成されている。なお、上記各浮動支承部２の下端位置は上記各支持部４５の下端位置よりも上方に位置するようになされている。すなわち、上記床敷用マット１が床面などに配置された場合には、上記浮動支承部２が床面などから離間して浮いたような恰好とされる。
【００２６】
上記構成の床敷用マット１では、上記浮動支承部２が通常状態において下端部２１が床面から離間しているために、上記浮動支承部２の下方変移が積極的に許容されており、また、上記浮動支承部２が上記円形孔４の内壁４ａに橋絡部４０ａを介して支持された恰好とされているとともに、上記橋絡部４０ａが弾性変形可能とされているので、上記浮動支承部２が弾性浮動可能とされている。すなわち、上記橋絡部４０ａの弾性変形による上記浮動支承部２の下方変移によって上記浮動支承部２が衝撃吸収性を有するものとされている。
【００２７】
また、ドーム状支承部３が上方に膨出するとともに中空状とされているので、上記ドーム状支承部３もまた下方に弾性変形可能とされている。このため、上記ドーム状支承部３に下方向に衝撃が加えられた場合には、上記ドーム状支承部３が下方に弾性変形することによって衝撃を吸収することができる。
【００２８】
すなわち、上記床敷用マット１では、上記浮動支承部２ばかりでなく、上記ドーム状支承部３においても衝撃吸収性が高められており、図１に良く表れているように、これらの各部材２，３が平面的に分散されているので床敷用マット１のいたる部位においても衝撃を吸収することができる。また、上記浮動支承部２が格子状に一定の規則性をもって分散配置されており、各浮動支承部２によって規定される各単位格子内領域に上記ドーム状支承部３が形成されているので、上記床敷用マット１は見栄えのよいものとされている。さらに、上記浮動支承部２の下方への変移が容易とされているとともに、ドーム状支承部３が弾性変形容易とされているので、上記床敷用マット１上を歩行者が歩いた場合には、適度なクッション感が得られて踏み心地が良い。
【００２９】
また、上記床敷用マット１が軟質系合成樹脂によって作成されるのは上述の通りであるが、軟質系合成樹脂によって作成すれば、軟質系合成樹脂が有する弾性によっても良好なクッション感が得られ、上述した効果を増大させることができる。また、上記軟質系合成樹脂は、既述の発泡プラスチックに比べれば、格段に表面強度が高く、たとえその表面が掻きむしられたとしても、上記床敷用マット１が掻きむしられてその表面が損傷するなどといった事態は生じにくく、引っ掻き傷などによって表面体裁が悪化するようなことも起こりにくい。
【００３０】
本願発明者は、上記床敷用マット１の衝撃吸収性を確認すべく、ＪＩＳ  Ａ  ６５１９−１９８９（体育館用鋼製床下地構成材  第８項・床の硬さ試験）に準じた手法によって、上記床敷用マット１の上記浮動支承部２および上記ドーム状支承部３のそれぞれについて衝撃吸収性を調べた。具体的には、３．８５ｋｇｆの重りを２０ｃｍの高さから上記床敷用マット１上に落下させ、加速度計に発生する最大加速度を測定し、この測定値に基づいて換算加速度値（換算Ｇ値）を計算して衝撃吸収性を判断した。なお、換算Ｇ値の値が大きいほど衝撃が大きくなり、衝撃吸収性は低くなる。
【００３１】
この結果、コンクリート材での換算Ｇ値を基準として１００とすれば、上記浮動支承部２およびドーム状支承部３では、それぞれ３３．５および２９．５であった。ちなみに、厚さ５５ｍｍの畳では、その値が３７であった。すなわち、本願発明に係る床敷用マット１は、適度に衝撃吸収性を有する畳と比べても見劣りせず、それどころかそれ以上の衝撃吸収性を有している。また、コンクリート材と比較すれば、３倍以上の衝撃吸収性を有していることが分かる。以上のように、本願発明に係る床敷用マット１は、衝撃吸収性に優れていることが分かる。
【００３２】
ところで、上記床敷用マット１は、屋内に限らず、ベランダなどの屋外においても使用され得るのは既述の通りであり、上記床敷用マット１が屋外において使用された場合には、当然、上記床敷用マット１が雨中に曝されることもある。このような場合には、上記床敷用マット１の表面に雨水が溜まってしまうような事態も考えられる。
【００３３】
上記構成の床敷用マット１では、上記浮動支承部２の周りが上記橋絡部４０ａを底壁とする凹溝４ｂとされている。そして、上記浮動支承部２の頂部２０が球面状とされており、上記ドーム状支承部３の中央部が膨出する構成とされているので、上記浮動支承部２および上記ドーム状支承部３の上面における周縁部が上記凹溝４ｂに向かって凹入する恰好とされている。このため、上記浮動支承部２および上記ドーム状支承部３の上面の雨水は、上記凹溝４ｂに導かれることとなる。また、上記凹溝４ｂの底壁は計４個の橋絡部４０ａによって構成されており、隣合う橋絡部４０ａ間が上下に貫通する貫通孔４０ｂとされているので、上記凹溝４ｂに導かれた雨水は、上記貫通孔４０ｂを介して床敷用マット１から排除されることとなる。また、上記貫通孔４０ｂを形成することによって通気性も良くなり、上記床敷用マット１の乾燥を容易とすることができる。
【００３４】
なお、上記貫通孔４０ｂの形状、個数、およびその形成位置は、上記実施形態を説明するために参照した図面に描かれている形状、個数、およびその形成位置には限定されず様々に設計変更可能である。
【００３５】
通常、上記のように構成された床敷用マット１は、複数枚の床敷用マット１を互いに隣接配置させて、床面などに敷きつめて使用されるのは既述の通りである。図１および図２に示すように、上記床敷用マット１の隣合う２辺には、連結手段としての係合雄部６が、隣合う残りの２辺には、同じく連結手段としての係合雌部５がそれぞれ形成されている。
【００３６】
図８に示すように、上記係合雄部６は、互いのフック６０ａ，６０ａの向きが反対とされた２つの第１フック部材６０，６０と、これらの間に形成されるとともに上記各第１フック部材６０，６０のフック６０ａの向きと交差する方向にフック６１ａが形成された第２フック部材６１とからなる。
【００３７】
図９に示すように、上記係合雌部５は、隣接配置される他の床敷用マット１に形成された係合雄部６の各フック部材６０，６０，６１の平面的位置に対応させて上下に貫通したボックス状の孔５０，５０，５１の組によって形成されている。
【００３８】
上記のように形成された上記係合雌部５および係合雄部６を係合した場合には、上記係合雄部６の各フック部材６０，６０，６１の軸部６０ｂ，６０ｂ，６１ｂが上記各ボックス状の孔５０，５０，５１内に収容され、各軸部６０ｂ，６０ｂ，６１ｂが幅方向に拘束される。また、上記各フック６０ａ，６０ａ，６１ａは、上記各ボックス状の孔５０，５０，５１に形成された切欠５０ａ，５０ａ，５１ａに係止される。このようにして、複数枚の床敷用マット１が、これらを隣接配置した場合の、互いの隣接辺に形成された係合雌部５と係合雄部６とを係合させることによって互いに連結される。
【００３９】
なお、隣接配置された複数枚の床敷用マット１を互いに連結する手段は、上述した手段には限定されず様々に設計変更可能であり、また、連結手段は必ずしも必要なものではない。
【図面の簡単な説明】
【図１】
本願発明に係る床敷用マットの一例を表す平面図である。
【図２】
上記床敷用マットの底面図である。
【図３】
（ａ）は、上記床敷用マットの右側面図であり、（ｂ）上記床敷用マットの左側面図である。
【図４】
図１のIV−IV線に沿う断面図である。
【図５】
図１のV −V 線に沿う断面図である。
【図６】
図１のVI−VI線に沿う断面図である。
【図７】
図１の一点鎖線Ａで囲まれた領域の拡大図である。
【図８】
係合雄部を表す要部斜視図である。
【図９】
係合雌部を表す要部斜視図である。
【符号の説明】
１  床敷用マット
２  浮動支承部
３  ドーム状支承部
４  円形孔
４ａ  内壁（円形孔の）
４ｂ  凹溝
２０  頂部（浮動支承部の）
２１  下端部（浮動支承部の）
３０  中央部（ドーム状支承部の）
４０ａ  橋絡部
４０ｂ  貫通孔